(57)【特許請求の範囲】
【請求項１】
ヒータ機能を備えたマッサージ機であって、ヒータ温度とマッサージ強度が各々調整可能に構成され、ヒータの温度が一定温度以下の時はマッサージ強度を低く、一定温度以上の時のヒータの温度上昇につれマッサージ強度を上げるようにして成ることを特徴とするマッサージ機。
【請求項２】
一定温度を１０℃としていることを特徴とする請求項１記載のマッサージ機。
【請求項３】
エアー圧によってマッサージをおこなうことを特徴とする請求項１記載のマッサージ機。
【請求項４】
ヒータ機能を備えたリクライニング式マッサージ機であって、ヒータの温度上昇につれ背もたれを倒すようにして成ることを特徴とするマッサージ機。
【発明の詳細な説明】
【０００１】
【発明の属する技術分野】
本発明は、ヒータ機能を備えたマッサージ機に関し、詳しくは、低温時において強いマッサージをおこなうことを回避しようとする技術に係るものである。
【０００２】
【従来の技術】
従来、人体の温度が低い場合に、突如強い力を加えると、人体に危害をおよぼすことがわかっているが、従来のマッサージ機ではヒータを作動させてもすぐには人体の温度が高められないのにかかわらず、人体の温度が高い時と同じ強さでマッサージをおこなっている。
【０００３】
又、リクライニング式マッサージ機においては、背もたれを大きく倒すリクライニング時に施療子に使用者の体重がかかって強い力が人体に働くのであり、同様に低温時に強いマッサージをおこなうことになるのである。
【０００４】
【発明が解決しようとする課題】
本発明はこのような問題に鑑みてなされたものであり、低温時において強いマッサージをおこなうことを回避し、結果として、良好なマッサージをおこなうことができるマッサージ機を提供することを課題とするものである。
【０００５】
【課題を解決するための手段】
請求項１においては、ヒータ機能を備えたマッサージ機であって、ヒータ温度とマッサージ強度が各々調整可能に構成され、ヒータＨの温度が一定温度以下の時はマッサージ強度を低く、一定温度以上の時のヒータＨの温度上昇につれマッサージ強度を上げるようにしてあることを特徴とするものである。このような構成によれば、ヒータ温度が低い時に強いマッサージをおこなうことがなく、したがって、人体が温まっていない時に強いマッサージをおこなうことを回避することができ、かつ、ヒータ温度の上昇につれ強いマッサージをおこなうのであり、良好なマッサージをおこなうことができる。
この場合、請求項２のように、一定温度を１０℃程度としていることが好ましい。
【０００６】
この場合、請求項３のように、エアー圧によってマッサージをおこなうようにすることも好ましいものである。
【０００７】
請求項４においては、ヒータ機能を備えたリクライニング式マッサージ機であって、ヒータＨの温度上昇につれ背もたれ１５を倒すようにしていることを特徴とするものである。このような構成によれば、ヒータ温度が低い時に背もたれ１５を大きく倒すことに伴い施療子に体重がかかることによる強いマッサージをおこなうことがなく、したがって、人体が温まっていない時に強いマッサージをおこなうことを回避することができ、かつ、ヒータ温度の上昇につれ背もたれ１５を倒して強いマッサージをおこなうのであり、良好なマッサージをおこなうことができる。
【０００８】
【発明の実施の形態】
以下、本発明の実施の形態を説明する。図１は全体を示す斜視図、図２は背もたれの施療子の動作を示す概略側面図である。
【０００９】
マッサージ機Ａは、例えば、リクライニング自在とされている椅子の背もたれ１５内に施療子５を組み込んだ周知（例えば、特公平２−４９７４１号）なものである。以下、施療子５の概略の動きを説明するが、施療子５の動きはこれに限定されるものではなく、施療子５によるマッサージ力を強弱をつける調整ができればよいものである。
【００１０】
図２に示すように、モータ（図示せず）によって主軸１を回転させた場合、主軸１とともに回転する内輪２が主軸１に対して偏心かつ傾斜したものとなっていて、この内輪２に遊転自在に装着されている外輪３にアーム４を介して取付けられた施療子５は、連結リンク８によってアーム４の動きに制限が加えられることもあって、主軸１の回転に伴い、３次元的な運動をおこなうようにしている。このような動きをおこなう対称におこなう一対の施療子５，５は、使用者の背面において「ねりもみ」のマッサージをおこなう。このような「ねりもみ」の動きは周知であり、種々変更することができる。
【００１１】
アーム４にボールジョイント６を介して連結された連結リンク８は、内輪２の回転に伴って上下左右に振られ、連結リンク８と回転軸１２とはボールジョイントを構成する球体としての偏心部材９で連結されて、上記施療子５の動作は円滑におこなわれるようになっている。
【００１２】
又、モータによってベルト伝動装置２３を介して送りねじ１０を回転させることで、送りナット１８を送り、リンク１１と回転板２２を介して補助軸１３のまわりに回転板２２の先端部の回転軸１２を回転させて、主軸１まわりの偏心部材９の位置を変えることで、アーム４及び外輪３が内輪２のまわりに回転し、施療子５は使用者の背面が位置する正面方向への突出量を変化させるのであり、しかして、主軸１を回転させてマッサージを得るにあたり、施療子５を図２において最も突出させている時には強い「ねりもみ」のマッサージを、最も引込む位置にいる時には、弱い「ねりもみ」のマッサージをおこなうようにしている。このように、マッサージの強さを調整することができるようにしている。このように施療子５の突出量を変更させてマッサージ力を調整する構成は種々変更することができる。
【００１３】
図１に示すように、座部１４、背もたれ１５及び足元部１６にヒータＨを付設している。
【００１４】
しかして、マッサージ機Ａを使用し始めてヒータＨの温度が一定以上に達すると、温度センサー（図示せず）によって検知し、この検知結果に基づいて、上述のようにして施療子５を人体側に突出させるのであり、ヒータ温度が一定温度（例えば、１０℃以下）よりも低い時に強いマッサージをおこなうことがなく、人体が温まっていない時に強いマッサージをおこなうことを回避するのであり、かつ、ヒータＨの温度が一定以上に上昇することに伴って、施療子５を突出させて強いマッサージをおこなうのであり、このようにして良好なマッサージをおこなうことができるのである。
【００１５】
図３に示すように、座部１４に対して背もたれ１５が枢支軸１９の回りに回動自在に支持され、背もたれ１５と座部１４とを電動伸縮アクチュエータ２０にて連結されてこの電動伸縮アクチュエータ２０の伸縮にて背もたれ１５を電動によって回動させるリクライニング機能を保持させている。そして、ヒータＨの一定温度以上の温度上昇に伴って背もたれ１５を倒すようにしている。
【００１６】
しかして、ヒータ温度が低い時に背もたれ１５を大きく倒すことに伴い施療子に体重がかかることによる強いマッサージをおこなうことがなく、人体が温まっていない時に強いマッサージをおこなうことを回避することができるのである。しかも、ヒータ温度の上昇につれ背もたれ１５を倒して強いマッサージをおこなうのであり、良好なマッサージをおこなうことができるのである。
【００１７】
図４に示すように、マッサージ機Ａの足元部には、エアーマッサージ部２１を設けてあって、エアーを注入することで膨張し、エアーを吸引することで収縮させてエアー圧によってマッサージをおこなうようにしている。エアーマッサージ部２１は、例えば、脹脛部を挿入してエアーマッサージをおこなうものであり、ヒータＨの一定温度以上の温度上昇に伴ってエアーマッサージ部２１へのエアーの供給量を一定以上に増大させて、エアーマッサージを強くおこなうようにしている。
【００１８】
【発明の効果】
請求項１においては、ヒータ機能を備えたマッサージ機であって、ヒータ温度とマッサージ強度が各々調整可能に構成され、ヒータの温度が一定温度以下の時はマッサージ強度を低く、一定温度以上の時のヒータの温度上昇につれマッサージ強度を上げるようにしてあるから、ヒータ温度が低い時に強いマッサージをおこなうことがなく、したがって、人体が温まっていない時に強いマッサージをおこなうことを回避することができ、かつ、ヒータ温度の上昇につれ強いマッサージをおこなうのであり、良好なマッサージをおこなうことができるという利点がある。
【００１９】
請求項４においては、ヒータ機能を備えたリクライニング式マッサージ機であって、ヒータの温度上昇につれ背もたれを倒すようにしているから、ヒータ温度が低い時に背もたれを大きく倒すことに伴い施療子に体重がかかることによる強いマッサージをおこなうことがなく、したがって、人体が温まっていない時に強いマッサージをおこなうことを回避することができ、かつ、ヒータ温度の上昇につれ背もたれを倒して強いマッサージをおこなうのであり、良好なマッサージをおこなうことができるという利点がある。
【図面の簡単な説明】
【図１】本発明の実施の一形態の斜視図である。
【図２】同上の背もたれの施療子の動作を示す概略側面図である。
【図３】同上のリクライニング機構を示す概略側面図である。
【図４】同上のエアーによるマッサージ機構を示す概略斜視図である。
【符号の説明】
１５  背もたれ
Ｈ    ヒータ
【図１】
0003695235.tif 000002
【図２】
0003695235.tif 000003
【図３】
0003695235.tif 000004
【図４】
0003695235.tif 000005